(57)【要約】【課題】蓋体が開放されたときにサーマルヘッドの発熱部を保護することができる印字装置を提供することを目的とする。【解決手段】印字装置１は、感熱紙６０を収容する収容部４と、発熱部１２の発熱により感熱紙６０に対して情報を記録するサーマルヘッド１０とが一体的に形成されて構成されている。さらに、印字装置１は、収容部４内を閉塞する閉塞位置と収容部４を開放する開放位置とで変位可能に保持される蓋体２０を備えており、この蓋体２０の外面２０ａには、帯電した静電気を除電する除電ブラシ２３が固定されている。そして、蓋体２０が閉塞位置となるときに除電ブラシ２３が発熱部１２から離間し、蓋体２０が開放位置となるときに除電ブラシが発熱部１２に接触するように構成されている。【選択図】図４
2012171130.tif 000002
【特許請求の範囲】
【請求項１】
感熱紙を収容すると共に、前記感熱紙を一方側から排出可能に保持する収容部と、
前記収容部から排出される前記感熱紙と接触する発熱部を備え、前記発熱部の発熱により前記感熱紙に対して情報を記録するサーマルヘッドと、
前記収容部と前記サーマルヘッドとが一体的に形成されてなる装置本体に保持され、前記収容部内を閉塞する閉塞位置と、前記収容部を開放する開放位置とで変位可能な蓋体と、
前記蓋体を変位可能に保持する保持機構と、
帯電した静電気を除電する除電部材と、
を備え、
前記蓋体が前記閉塞位置となるときに前記除電部材が前記発熱部から離間し、前記蓋体が前記開放位置となるときに、前記除電部材が前記発熱部に接触するように構成されていることを特徴とする印字装置。
【請求項２】
前記除電部材は、前記蓋体の一部に固定されており、
前記蓋体は、前記閉塞位置となるときに当該蓋体に固定された前記除電部材が前記発熱部から離間し、前記開放位置となるときに当該蓋体に固定された前記除電部材が前記発熱部に接触するように前記保持機構に保持されていることを特徴とする請求項１に記載の印字装置。
【請求項３】
前記感熱紙は、ロール状に巻き回されたロール体を有するロール紙からなり、
前記収容部は、前記ロール体を収容すると共に、前記ロール体の外周部側に続く端部側が排出可能となるように前記ロール紙を保持しており、
前記蓋体は、前記ロール体の外周部の周囲を部分的に覆う構成で配置され、
前記除電部材は、前記蓋体の外面に固定されており、
前記保持機構は、前記蓋体が前記ロール体の外周部の周囲で変位するように当該蓋体を回動可能に保持しており、
前記蓋体が前記閉塞位置となるときに前記外面に固定された前記除電部材が前記発熱部から離間し、前記蓋体が前記開放位置となるときに前記外面に固定された前記除電部材が前記発熱部に接触するように構成されていることを特徴とする請求項２に記載の印字装置。
【請求項４】
前記蓋体は、当該蓋体の回動軸を中心とする周方向に沿って湾曲すると共に前記ロール体の外周部を部分的にカバーするカバー部を備え、
前記カバー部の周方向一端側に前記除電部材が固定され、他端側には転動部材が回転可能に保持されており、
前記蓋体が前記閉塞位置となるときに前記転動部材が前記発熱部と対向して配置されることを特徴とする請求項３に記載の印字装置。
【請求項５】
前記蓋体とは別部材として構成され、前記発熱部に対して相対移動可能な移動部材と、
前記移動部材が少なくとも前記蓋体の開放動作と連動するように当該移動部材を移動可能に保持する第２の保持機構と、
を備え、
前記除電部材は、前記移動部材に固定されており、
前記移動部材は、前記蓋体が前記閉塞位置となるときに前記除電部材が前記発熱部から離間し、前記蓋体が前記開放位置となるときに前記除電部材が前記発熱部に接触するように前記第２の保持機構に保持されていることを特徴とする請求項１に記載の印字装置。
【発明の詳細な説明】
【技術分野】
【０００１】
本発明は、印字装置に関するものである。
【背景技術】
【０００２】
従来、感熱紙に対してサーマルヘッドの発熱部により熱を加えることで情報を記録する印字装置が使用されている。このように、サーマルヘッドの発熱によって感熱紙に記録する感熱式の印字装置は、インクリボンやインクカートリッジ等を使用せず小型軽量化でき携帯性に優れるといったメリットがあることから、車内販売や宅配等の用途で広く用いられている。このような感熱式の印字装置としては、例えば、下記特許文献１に示すものが知られている。
【０００３】
特許文献１には、ロール紙（Ｐ）の搬送とサーマルプリンタヘッド（１５５）の発熱素子の選択的な駆動とを同期させることで、蓄積する印字データに基づくロール紙（Ｐ）への印字を行なうことができるポータブルプリンタが記載されている。このポータブルプリンタは、用紙収納部を有するベースハウジング（１０３）に、この用紙収納部を覆うようにオープンカバー（１０４）が開閉自在に取り付けられており、ベースハウジング（１０３）とオープンカバー（１０４）との間に用紙収納部に収納されたロール紙（Ｐ）の案内経路を形成するハウジング（１０２）を備えている。そして、ロール紙（Ｐ）を搬送して印字を行なう印字搬送部（１５４）をハウジング（１０２）内に内蔵し、印字済みのロール紙（Ｐ）を発行する発行口（１０９）の奥側に金属部材からなるカッタ（１１０）を有し、このカッタ（１１０）を覆うように、静電気を気中放電可能な除電シート（１１２）を設けて構成されている。
【先行技術文献】
【特許文献】
【０００４】
【特許文献１】特開２００７−２４５４６６号公報
【発明の概要】
【発明が解決しようとする課題】
【０００５】
ところで、上述のように構成される印字装置では、当該印字装置と感熱紙との摩擦等によって静電気が発生し、装置内部に電荷が蓄積されることがある。そして、感熱紙を交換するときなどに当該装置の筐体の蓋が開けられて装置内部に人の手が触れると、装置内部へ電荷が流れ、記録品質に影響を与える虞があった。特に上記特許文献１のように、筐体の蓋（オープンカバー（１０４））を開けた際に、サーマルヘッドの発熱部（印字搬送部（１５４））が外部に露出する構成では、人の手が発熱部に触れやすく、印字搬送部に蓄えられた電荷が人の手が触れることで放電され、静電気による火花放電によって、発熱部及び発熱部に接続される回路等が破壊されるといったことが懸念されていた。
【０００６】
本発明は、上述した課題を解決するためになされたものであり、蓋体が開放されたときにサーマルヘッドの発熱部を保護することができる印字装置を提供することを目的とする。
【課題を解決するための手段】
【０００７】
上記目的を達成するため、本発明は、感熱紙を収容すると共に、前記感熱紙を一方側から排出可能に保持する収容部と、前記収容部から排出される前記感熱紙と接触する発熱部を備え、前記発熱部の発熱により前記感熱紙に対して情報を記録するサーマルヘッドと、前記収容部と前記サーマルヘッドとが一体的に形成されてなる装置本体に保持され、前記収容部内を閉塞する閉塞位置と、前記収容部を開放する開放位置とで変位可能な蓋体と、前記蓋体を変位可能に保持する保持機構と、帯電した静電気を除電する除電部材と、を備え、前記蓋体が前記閉塞位置となるときに前記除電部材が前記発熱部から離間し、前記蓋体が前記開放位置となるときに、前記除電部材が前記発熱部に接触するように構成されていることを特徴とする。
【発明の効果】
【０００８】
請求項１の発明では、蓋体が収容部から開放されたときに、除電部材がサーマルヘッドの発熱部に接触し、発熱部が除電部材に覆われるようになるため、蓋体の開放時に人の手が発熱部に触れることを防ぐことができ、人の手が接触することに起因する内部部品の不具合を効果的に抑制することができる。特に、蓋体の開放時には、発熱部に帯電した静電気が除電部材により除電されるので、発熱部に帯電した静電気が人の手を媒介として内部部品に悪影響を及ぼすことを防ぐことができ、発熱部やこれに関係する部品をより確実に保護することができる。
【０００９】
請求項２の発明では、除電部材は、蓋体の一部に固定されている。そして、蓋体は、閉塞位置となるときに当該蓋体に固定された除電部材が発熱部から離間し、開放位置となるときに当該蓋体に固定された除電部材が発熱部に接触するように構成されている。
この構成によれば、蓋体の開放時に除電部材を自動的に発熱部に接触させ得る構成を、複雑な機構等を用いることなく部品点数を抑えて実現することができる。
【００１０】
請求項３の発明では、収容部は、ロール紙からなる感熱紙を収容しており、蓋体はこのロール体の外周部の周囲を部分的に覆うと共に、ロール体の外周部の周囲で変位するように回動可能に保持されている。また、蓋体の外面には、除電部材が固定されている。そして、蓋体が閉塞位置となるときに外面に固定された除電部材が発熱部から離間し、蓋体が開放位置となるときに外面に固定された除電部材が発熱部に接触するように構成されている。
このように、蓋体がロール紙の周囲で回動するように構成されていると、当該蓋体の開閉を容易に行うことができるようになり、蓋体の開閉に必要なスペースを削減し易くなる。また、蓋体の外面が発熱部付近で回動するように回動軌跡を設定するといった簡易な対応により、除電部材が発熱部に対して確実に接近・離間し得る構成を実現することできる。
【００１１】
請求項４の発明では、蓋体は、当該蓋体の回動軸を中心とする周方向に沿って湾曲すると共にロール体の外周部を部分的にカバーするカバー部を備えている。また、このカバー部の周方向一端側に除電部材が固定され、他端側には転動部材が回転可能に保持されている。そして、蓋体が閉塞位置となるときに転動部材が発熱部と対向して配置されるように構成されている。
このように、転動部材をさらに蓋体に設けることで、この転動部材を除電部材と共に蓋体の回動軌跡上に変位させることができる。そして、蓋体の開放時に除電部材を自動的に発熱部に接触させ得ると共に、蓋体の閉塞時に転動部材を自動的に発熱部に接触させ得る構成を、除電部材及び転動部材の配置を調整する（蓋体の所定位置にそれぞれ配置する）といった簡易な対応により実現することができる。
【００１２】
請求項５の発明では、除電部材が固定された移動部材を備えている。また、この移動部材は、蓋体とは別部材として構成されており、第２の保持機構によって、蓋体の開放動作と連動して発熱部に対して相対移動可能に保持されている。そして、移動部材は、蓋体が閉塞位置となるときに除電部材が発熱部から離間し、蓋体が開放位置となるときに除電部材が発熱部に接触するように構成されている。
このように、蓋体とは別部材で構成される移動部材に除電部材を設ける構成とすれば、蓋体の形状に依らず、蓋体の開放時に除電部材を自動的に発熱部に接触させ得る構成を実現することができる。また、既存の印字装置において、大幅な設計変更をしなくとも、移動部材の構成を追加するといった簡易な変更により、上記構成を実現することができる。
【図面の簡単な説明】
【００１３】
【図１】図１は、第１実施形態に係る印字装置を概略的に例示する斜視図であり、蓋体が閉塞位置にあるときの状態を示すものである。
【図２】図２（Ａ）は、蓋体が開放位置にあるときの状態を示す斜視図であり、図２（Ｂ）は、蓋体の斜視図であり、図２（Ｃ）は、ロール紙の斜視図である。
【図３】図３は、図２（Ａ）とは異なる方向から見た斜視図である。
【図４】図４は、第１実施形態に係る印字装置における蓋体の開放動作を説明する図であり、図４（Ａ）は、蓋体が閉塞位置にあるときの状態を示す説明図であり、図４（Ｂ）は、蓋体が閉塞位置から開放位置へ変位する途中の状態を示す説明図であり、図４（Ｃ）は、蓋体が開放位置にあるときの状態を示す説明図である。
【図５】図５は、第２実施形態に係る印字装置を概略的に例示する斜視図であり、蓋体が開放位置にあるときの状態を示すものである。
【図６】図６（Ａ）は、スライド部材の斜視図であり、図６（Ｂ）は、スライド部材と発熱部の位置関係を示す説明図であり、図６（Ｃ）は、図５とは異なる方向から見た斜視図である。
【図７】図７は、第２実施形態に係る印字装置における蓋体の開放動作を説明する図であり、図７（Ａ）は、蓋体が閉塞位置にあるときの状態を示す説明図であり、図７（Ｂ）は、蓋体が閉塞位置から開放位置へ変位する途中の状態を示す説明図であり、図７（Ｃ）は、蓋体が開放位置にあるときの状態を示す説明図である。
【発明を実施するための形態】
【００１４】
[第１実施形態]
以下、本発明の印字装置を具現化した第１実施形態について、図面を参照して説明する。
（印字装置の全体構成）
まず、第１実施形態に係る印字装置１の全体構成について、図１〜図３を用いて説明する。図１は、第１実施形態に係る印字装置を概略的に例示する斜視図である。図２（Ａ）は、蓋体が開放位置にあるときの状態を示す斜視図であり、図２（Ｂ）は、蓋体の斜視図であり、図２（Ｃ）は、ロール紙の斜視図である。図３は、図２（Ａ）とは異なる方向から見た斜視図である。
【００１５】
本実施形態の印字装置１は、樹脂材料などからなる筐体３によって外郭が構成されている。そして、この筐体３には、感熱紙６０を収容する収容部４と、この収容部４内に発熱部１２が露出する構成でサーマルヘッド１０が設けられている。また、これら収容部４とサーマルヘッド１０とは一体的に形成されており、装置本体２を構成している。さらに、印字装置１は、収容部４を開閉する蓋体２０と、発熱部１２に接触可能な除電ブラシ２３とを備えている。
【００１６】
収容部４は、ロール状に巻き回されたロール体６２を有する感熱紙６０（図２（Ｃ）参照）を収容可能な大きさに構成されている。そして、収容部４には、感熱紙６０を当該収容部４に対して交換可能なように、開口部４ａが設けられている。この開口部４ａは、蓋体２０が後述の閉塞位置に変位したときに、この蓋体２０によって覆われるようになっている。また、収容部４には、蓋体２０がロール体６２の外周部６３の周囲で変位するように、この蓋体２０の回動軸２７を回動可能に保持する軸受部（図示略）が設けられている。また、収容部４は、図１に示すように、蓋体２０が閉塞位置に変位した状態において、後述するプラテン２５と共に、感熱紙６０を当該収容部４の一方側から排出可能に保持している。なお、軸受部は、「保持機構」の一例に相当する。
【００１７】
サーマルヘッド１０は、ヘッド基板（図示略）上に、発熱素子（図示略）をライン上に並べて構成される発熱部１２を備えている。この発熱部１２は、収容部４内に露出していると共に、配線（図示略）を介して制御部（図示略）と電気的に接続されている。そして、発熱部１２は、制御部からの信号に基づき発熱し、収容部４から排出される感熱紙６０と接触することで、所定の情報を感熱紙６０に記録するように構成されている。
【００１８】
蓋体２０は、樹脂材料等からなり、図２（Ｂ）に示すように、当該蓋体２０の回動軸２７を中心とする周方向に沿って円弧状に湾曲すると共にロール体６２の外周部６３を部分的にカバーするカバー部２１を備えて構成されている。すなわち、カバー部２１は、ロール体６２の形状に合わせて円筒状に構成されており、この円筒状部分の高さ方向に沿って（収容されるロール体６２の巻芯６１の長さ方向に沿って）、一部が開放されている。そして、このカバー部２１の周方向一端側２１ａであって、蓋体２０の外面２０ａには、除電ブラシ２３が固定されている。また、カバー部２１の周方向他端側２１ｂにはプラテン２５が回転可能に保持されている。そして、蓋体２０は、上述したように、回動軸２７を介して収容部４によって回動可能に保持されていると共に、ロール体６２の外周部６３の周囲を部分的に覆う構成で配置されている。
【００１９】
より具体的に、蓋体２０は、収容部４内を閉塞する（開口部４ａを覆う）閉塞位置（図１）と、収容部４を開放する開放位置（図２（Ａ）、図３）とで変位可能となるように、収容部４（軸受部）に保持されている。そして、蓋体２０が閉塞位置となったときには、カバー部２１の周方向一端側２１ａに固定されている除電ブラシ２３が発熱部１２から離間すると共に、カバー部２１の周方向他端側２１ｂに固定されているプラテン２５が発熱部１２と対向して配置される（感熱紙６０を介して発熱部１２に当接する（後述の図４（Ａ）参照）ようになっている。また、蓋体２０が開放位置となったときには、除電ブラシ２３が発熱部１２に接触すると共に、プラテン２５が発熱部１２から離間するようになっている。
【００２０】
除電ブラシ２３は、図２（Ｂ）に示すように、カバー部２１の周方向一端側２１ａに、このカバー部２１の円筒状部分の高さ方向に沿って設けられている。この除電ブラシ２３は、接着テープや接着剤によって、カバー部に固定されていてもよく、カバー部と一体的に構成されていてもよい。また、除電ブラシ２３は、導電性を有する材料からなり、例えば、ステンレス系繊維やカーボン系繊維などから構成されている。そして、除電ブラシ２３は、蓋体２０が開放位置となったときに、発熱部１２を覆うと共に、発熱部１２に接触して、発熱部１２に帯電した静電気を気中放電により除電するようになっている。なお、除電ブラシ２３は、「除電部材」の一例に相当する。
【００２１】
プラテン２５は、ローラ状に形成されており、少なくとも外周部がゴム等の弾性部材によって構成されている。そして、プラテン２５は、図２（Ｂ）に示すように、カバー部２１の周方向他端側２１ｂに、回動可能に軸支されている。また、このプラテン２５は、モータ等によって構成される回動機構（図示略）によって、回動駆動されるように構成されており、このプラテン２５の回動により感熱紙６０が搬送されて収容部４の一方側から排出されるように構成されている。そして、プラテン２５は、蓋体２０が閉塞位置となったときに、発熱部１２と対向して配置されると共に、感熱紙６０を発熱部１２上に押し当てるように構成されている。このように、プラテン２５により感熱紙６０が発熱部１２上に押圧されることで、発熱部１２の熱を感熱紙６０に良好に伝達することができる。なお、プラテン２５は、「転動部材」の一例に相当する。
【００２２】
感熱紙６０は、図２（Ｃ）に示すように、長尺状の用紙が巻芯６１を介してロール状に巻かれたロール紙からなり、ロール体６２を有している。そして、感熱紙６０の巻芯６１は、カバー部２１の円筒状部分の高さよりも若干長く構成されており、蓋体２０の回動軸２７と共に、収容部４に保持されている。そして、図１に示すように、感熱紙６０は、ロール体６２の外周部６３側に続くロール紙端部６４が印字装置１の外部へ排出可能となるように、収容部４内に収容されている。そして、感熱紙６０は、蓋体２０が閉塞位置にあるとき、この蓋体２０によって外部から覆われるようになっている。
【００２３】
このように構成される印字装置１は、例えば、車内販売や宅配等の用途で、様々な場所で使用可能な携帯型のプリンタとして用いることができる。また、バーコード、ＱＲコード等の情報コードを光学的に読み取る携帯型の光学的情報読取装置等に搭載することもでき、これら読取装置等と一体的に用いることもできる。
【００２４】
（蓋体の開放動作）
次に、このように構成される印字装置１における蓋体２０の開放動作について、図４を用いて説明する。
図４は、印字装置１における蓋体２０の開放動作を説明する図であり、図４（Ａ）は、蓋体が閉塞位置にあるときの状態を示す説明図であり、図４（Ｂ）は、蓋体が閉塞位置から開放位置へ変位する途中の状態を示す説明図であり、図４（Ｃ）は、蓋体が開放位置にあるときの状態を示す説明図である。
【００２５】
まず、図４（Ａ）に示すように、蓋体２０が閉塞位置にあるときには、カバー部２１の周方向他端側２１ｂに固定されているプラテン２５が、感熱紙６０を介して発熱部１２に接触している。また、カバー部２１の周方向一端側２１ａに固定されている除電ブラシ２３は、発熱部１２から離間した位置に配置されている。
【００２６】
そして、図４（Ａ）に示す状態から、蓋体２０が時計回りに回動されて、図４（Ｂ）の状態に変位すると、プラテン２５は発熱部１２から離間するとともに、除電ブラシ２３は発熱部１２に近づくように移動する。またこのとき、プラテン２５及び除電ブラシ２３は、蓋体２０の回動軌跡α上を、蓋体２０の回動と連動して変位する。
【００２７】
図４（Ｂ）の状態から、蓋体２０がさらに回動されて図４（Ｃ）の状態に変位すると、除電ブラシ２３は発熱部１２に接触し、プラテン２５は発熱部１２から離間した位置に移動する。そして、収容部４が開放されて、感熱紙６０を取り出すことができる。このように、感熱紙６０を交換するときなどに、蓋体２０が開放されても、サーマルヘッド１０の発熱部１２が除電ブラシ２３によって覆われるので、この発熱部１２に人の手が不用意に触れてしまうのを防ぐことができる。
【００２８】
以上説明したように、本第１実施形態に係る印字装置１では、蓋体２０が収容部４から開放されたときに、除電ブラシ２３がサーマルヘッド１０の発熱部１２に接触し、発熱部１２が除電ブラシ２３に覆われるようになるため、蓋体２０の開放時に人の手が発熱部１２に触れることを防ぐことができ、人の手が接触することに起因する内部部品の不具合を効果的に抑制することができる。特に、蓋体２０の開放時には、発熱部１２に帯電した静電気が除電ブラシ２３により除電されるので、発熱部１２に帯電した静電気が人の手を媒介として内部部品に悪影響を及ぼすことを防ぐことができ、発熱部１２やこれに関係する部品をより確実に保護することができる。
【００２９】
また、除電ブラシ２３は、蓋体２０の一部に固定されている。そして、蓋体２０は、閉塞位置となるときに当該蓋体２０に固定された除電ブラシ２３が発熱部１２から離間し、開放位置となるときに当該蓋体２０に固定された除電ブラシ２３が発熱部１２に接触するように構成されている。
この構成によれば、蓋体２０の開放時に除電ブラシ２３を自動的に発熱部１２に接触させ得る構成を、複雑な機構等を用いることなく部品点数を抑えて実現することができる。
【００３０】
さらに、収容部４は、ロール紙からなる感熱紙６０を収容しており、蓋体２０はこのロール体６２の外周部６３の周囲を部分的に覆うと共に、ロール体６２の外周部６３の周囲で変位するように回動可能に保持されている。また、蓋体２０の外面には、除電ブラシ２３が固定されている。そして、蓋体２０が閉塞位置となるときに外面に固定された除電ブラシ２３が発熱部１２から離間し、蓋体２０が開放位置となるときに外面に固定された除電ブラシ２３が発熱部１２に接触するように構成されている。
このように、蓋体２０がロール紙の周囲で回動するように構成されていると、当該蓋体２０の開閉を容易に行うことができるようになり、蓋体２０の開閉に必要なスペースを削減し易くなる。また、蓋体２０の外面が発熱部１２付近で回動するように回動軌跡αを設定するといった簡易な対応により、除電ブラシ２３が発熱部１２に対して確実に接近・離間し得る構成を実現することできる。
【００３１】
さらに、蓋体２０は、当該蓋体２０の回動軸を中心とする周方向に沿って湾曲すると共にロール体６２の外周部６３を部分的にカバーするカバー部２１を備えている。また、このカバー部２１の周方向一端側２１ａに除電ブラシ２３が固定され、周方向他端側２１ｂにはプラテン２５が回転可能に保持されている。そして、蓋体２０が閉塞位置となるときにプラテン２５が発熱部１２と対向して配置されるように構成されている。
このように、プラテン２５をさらに蓋体２０に設けることで、このプラテン２５を除電ブラシ２３と共に蓋体２０の回動軌跡α上に変位させることができる。そして、蓋体２０の開放時に除電ブラシ２３を自動的に発熱部１２に接触させ得ると共に、蓋体２０の閉塞時にプラテン２５を自動的に発熱部１２に接触させ得る構成を、除電ブラシ２３及びプラテン２５の配置を調整する（蓋体２０の所定位置にそれぞれ配置する）といった簡易な対応により実現することができる。
【００３２】
[第２実施形態]
次に、本発明の第２実施形態に係る印字装置２０１について、図５〜図７を参照して説明する。本第２実施形態では、蓋体２０に代えて蓋体２２０を採用する点、除電ブラシ２３が蓋体２２０とは別部材に固定されている点が主に異なる。したがって、第１実施形態の印字装置１と実質的に同一の構成部分には、同一符号を付し、その説明を省略する。
【００３３】
図５は、第２実施形態に係る印字装置を概略的に例示する斜視図であり、蓋体が開放位置にあるときの状態を示すものである。図６（Ａ）は、スライド部材の斜視図であり、図６（Ｂ）は、スライド部材と発熱部の位置関係を示す説明図であり、図６（Ｃ）は、図５とは異なる方向から見た斜視図である。図７は、第２実施形態に係る印字装置における蓋体の開放動作を説明する図であり、図７（Ａ）は、蓋体が閉塞位置にあるときの状態を示す説明図であり、図７（Ｂ）は、蓋体が閉塞位置から開放位置へ変位する途中の状態を示す説明図であり、図７（Ｃ）は、蓋体が開放位置にあるときの状態を示す説明図である。
【００３４】
本第２実施形態では、図５に示すように、蓋体２２０が板状に構成されている。そして、蓋体２２０の一端側には回動軸２２７が設けられており、この回動軸２２７が筐体３に軸支されている。また、蓋体２２０の一端側には、スライド部材３０の一端部に当接可能な突起４０が設けられている。そして、蓋体２２０は収容部４の開口部４ａに対して開閉自在に回動するように構成されている。蓋体２２０の他端側には、プラテン２５が回動可能に保持されている。また、蓋体２２０には、筐体３に設けられる被係合部（図示略）と係合可能な係合部（図示略）が設けられており、閉塞位置（図７（Ａ）参照）において、蓋体２２０はこの係合部によって筐体３と係合するように構成されている。
【００３５】
そして、収容部４内には、蓋体２２０とは別部材として構成され、蓋体２２０の開放動作と連動して移動するスライド部材３０が設けられている。スライド部材３０は、図６（Ａ）に示すように、板状に構成されており、このスライド部材３０の一方面の一端側に、除電ブラシ２３が固定されている。そして、このスライド部材３０は、図６（Ｂ）に示すように、発熱部１２に対して除電ブラシ２３が固定されている面が対向するように、保持部材３２によって保持されている。なお、スライド部材３０は、「移動部材」の一例に相当する。
【００３６】
保持部材３２には、スライド部材３０の厚さより若干大きく形成された溝部３２ａが設けられており、この溝部３２ａ内には、バネ３４が設けられている。そして、保持部材３２は、スライド部材３０の他端側の一部をこの溝部３２ａ内に挿入した状態で保持するように構成されている。なお、保持部材３２は、「第２の保持機構」の一例に相当する。
【００３７】
次に、このように構成される印字装置２０１における蓋体２２０の開放動作について、図７を用いて説明する。
まず、蓋体２２０の係合部と筐体３の被係合部とが係合しており、図７（Ａ）に示すように、蓋体２２０が閉塞位置にあるときには、蓋体２２０の他端側に設けられるプラテン２５が、感熱紙６０を介して発熱部１２に接触している。そして、蓋体２２０の一端側に設けられる突起４０によって、スライド部材３０が押圧されていると共に、この突起４０の押圧力によって、バネ３４が収縮している。また、このとき、除電ブラシ２３は、発熱部１２から離間した位置に維持されている。
【００３８】
そして、蓋体２２０の係合部と筐体３の被係合部との係合が外されて、蓋体２２０が図７（Ｂ）の状態に変位すると、スライド部材３０に対する突起４０の押圧力が小さくなり、保持部材３２の溝部３２ａ内に収容されているバネ３４が当該バネ３４の復帰力によって伸張する。そして、このバネ３４の伸張にともなって、除電ブラシ２３が発熱部１２に近づくように移動する。
【００３９】
さらに、蓋体２２０が、図７（Ｂ）の状態から、プラテン２５が発熱部１２から離間する位置まで回動されると、スライド部材３０に対する突起４０の押圧力がなくなり、バネ３４がさらに伸張する。そして、このバネ３４の伸張によって、図７（Ｃ）に示すように、スライド部材３０が発熱部１２に接触する位置まで移動する。すなわち、本第２実施形態では、蓋体２２０の開放動作と連動してスライド部材３０が移動することで、蓋体２２０の開放時に除電ブラシ２３が発熱部１２に接触することとなる。
【００４０】
以上説明したように、本第２実施形態に係る印字装置２０１では、除電ブラシ２３が固定されたスライド部材３０を備えている。また、このスライド部材３０は、蓋体２２０とは別部材として構成されており、保持部材３２によって、蓋体２２０の開放動作と連動して発熱部１２に対して相対移動可能に保持されている。そして、スライド部材３０は、蓋体２２０が閉塞位置となるときに除電ブラシ２３が発熱部１２から離間し、蓋体２２０が開放位置となるときに除電ブラシ２３が発熱部１２に接触するように構成されている。
このように、蓋体２２０とは別部材で構成されるスライド部材３０に除電ブラシ２３を設ける構成とすれば、蓋体２２０の形状に依らず、蓋体２２０の開放時に除電ブラシ２３を自動的に発熱部１２に接触させ得る構成を実現することができる。また、既存の印字装置において、大幅な設計変更をしなくとも、スライド部材３０の構成を追加するといった簡易な変更により、上記構成を実現することができる。
【００４１】
［他の実施形態]
本発明は上記記述及び図面によって説明した実施形態に限定されるものではなく、例えば次のような実施形態も本発明の技術的範囲に含まれる。
【００４２】
上記各実施形態では、除電部材として除電ブラシ２３を用いた例を示したが、除電部材の形状は特に限定されず、例えば、布状のものを用いることもできる。
【００４３】
上記各実施形態では、発熱部に帯電した静電気を、除電ブラシ２３により大気中へ放電させる構成としたが、除電ブラシ２３をアースに接続する構成としてもよい。
【符号の説明】
【００４４】
１、２０１…印字装置
２…装置本体
３…筐体
４…収容部
４ａ…開口部
１０…サーマルヘッド
１２…発熱部
２０、２２０…蓋体
２０ａ…外面
２１…カバー部
２１ａ…周方向一端側
２１ｂ…周方向他端側
２３…除電ブラシ（除電部材）
２５…プラテン（転動部材）
２７、２２７…回転軸
３０…スライド部材（移動部材）
３２…保持部材（第２の保持機構）
３２ａ…溝部
３４…バネ
４０…突起
６０…感熱紙（ロール紙）
６１…巻芯
６２…ロール体
６３…外周部
６４…ロール紙端部
【図１】
2012171130.tif 000003
【図２】
2012171130.tif 000004
【図３】
2012171130.tif 000005
【図４】
2012171130.tif 000006
【図５】
2012171130.tif 000007
【図６】
2012171130.tif 000008
【図７】
2012171130.tif 000009